(57)【要約】【課題】貨幣処理装置間の通信ネットワークを利用せずに操作者の負担を軽減する。【解決手段】第１貨幣処理装置１００は、貨幣を払い出すように構成された払出部１０１と、払出部１０１から払い出された貨幣の内訳を示した明細情報が印字されたレシートを発行する発行部１１０とを備えている。第２貨幣処理装置２００は、第１貨幣処理装置１００から払い出された貨幣が投入されるように構成された受取部２０１と、第１貨幣処理装置１００から発行されたレシートを撮像してレシートの画像を取得するように構成された撮像部３０６と、撮像部によって取得されたレシートの画像から明細情報を取得するように構成された認識部３１０とを備えている。【選択図】図１
2018073058.tif 000002
【特許請求の範囲】
【請求項１】
貨幣を払い出すように構成された払出部と、該払出部から払い出された貨幣の内訳を示した明細情報が印字されたレシートを発行する発行部とを含む第１貨幣処理装置と、
前記第１貨幣処理装置から払い出された貨幣が投入されるように構成された受取部と、該第１貨幣処理装置から発行されたレシートを撮像して該レシートの画像を取得するように構成された撮像部と、該撮像部によって取得されたレシートの画像から前記明細情報を取得するように構成された認識部とを含む第２貨幣処理装置とを備えている
ことを特徴とする貨幣処理システム。
【請求項２】
請求項１において、
前記第２貨幣処理装置は、有価媒体を処理するように構成された有価媒体処理ユニットを含み、
前記撮像部は、前記有価媒体処理ユニットに設けられ、該有価媒体処理ユニットに投入された有価媒体およびレシートを撮像して該有価媒体の画像および該レシートの画像を取得するように構成されている
ことを特徴とする貨幣処理システム。
【請求項３】
請求項１または２において、
前記第２貨幣処理装置は、前記認識部によって取得された明細情報に示された貨幣の内訳を示した内訳情報を出力するように構成された制御部を含んでいる
ことを特徴とする貨幣処理システム。
【請求項４】
請求項３において、
前記制御部は、前記受取部に投入された貨幣の内訳と前記認識部によって取得された明細情報に示された貨幣の内訳とが一致していない場合に、該貨幣の内訳の不一致を通知するためのエラー情報を出力するように構成されている
ことを特徴とする貨幣処理システム。
【請求項５】
請求項１〜４のいずれか１項において、
前記第２貨幣処理装置は、前記レシートを収納するように構成されたレシート収納部を含んでいる
ことを特徴とする貨幣処理システム。
【請求項６】
貨幣と該貨幣の内訳を示した明細情報が印字されたレシートとを処理する貨幣処理装置であって、
前記貨幣が投入されるように構成された受取部と、
前記レシートを撮像して該レシートの画像を取得するように構成された撮像部と、
前記撮像部によって取得されたレシートの画像から前記明細情報を取得するように構成された認識部とを備えている
ことを特徴とする貨幣処理装置。
【請求項７】
請求項６において、
有価媒体を処理するように構成された有価媒体処理ユニットを備え、
前記撮像部は、前記有価媒体処理ユニットに設けられ、該有価媒体処理ユニットに投入された有価媒体およびレシートを撮像して該有価媒体の画像および該レシートの画像を取得するように構成されている
ことを特徴とする貨幣処理装置。
【請求項８】
請求項６または７において、
前記認識部によって取得された明細情報に示された貨幣の内訳を示した内訳情報を出力するように構成された制御部を備えている
ことを特徴とする貨幣処理装置。
【請求項９】
請求項８において、
前記制御部は、前記受取部に投入された貨幣の内訳と前記認識部によって取得された明細情報に示された貨幣の内訳とが一致していない場合に、該貨幣の内訳の不一致を通知するためのエラー情報を出力するように構成されている
ことを特徴とする貨幣処理装置。
【請求項１０】
請求項６〜９のいずれか１項において、
前記レシートを収納するように構成されたレシート収納部を備えている
ことを特徴とする貨幣処理装置。
【発明の詳細な説明】
【技術分野】
【０００１】
ここに開示する技術は、貨幣処理システムおよび貨幣処理装置に関する。
【背景技術】
【０００２】
従来、複数台の貨幣処理装置を備えた貨幣処理システムが知られている。例えば、特許文献１には、貨幣を両替する両替機と、両替機に補充すべき貨幣を出金するとともに両替機から回収される貨幣を入金する出納機と、両替機と出納機との間を通信可能に接続するネットワークとを備えた貨幣管理システムが開示されている。そして、この両替機は、貨幣を収納する第１の収納部と、第１の収納部に収納されている貨幣の残量に基づいて第１の収納部への補充に必要とされる貨幣の必要量を算出する必要量算出部と、必要量を示す情報をネットワークを介して出納機に送信する情報送信部とを含んでいる。このように、複数台の貨幣処理装置に通信機能を持たせて通信ネットワークを構築することにより、出納機から両替機に貨幣を補充する際に補充量の誤りを防止している。
【先行技術文献】
【特許文献】
【０００３】
【特許文献１】特開２０１６−２４７４８号公報
【発明の概要】
【発明が解決しようとする課題】
【０００４】
しかしながら、複数台の貨幣処理装置に上述したような通信機能を追加することは、各貨幣処理装置のコストアップになってしまう。また、製造元や導入時期が異なる機器間では、通信ネットワークを構築することができない場合もある。なお、貨幣処理装置間の通信ネットワークを利用せずに、操作者の手入力によって一方の貨幣処理装置に関する情報を他方の貨幣処理装置に入力することが考えられる。しかしながら、貨幣処理装置に情報を手入力することは、操作者の負担となり、人為的ミス（例えば入力ミス）が発生する可能性がある。
【０００５】
そこで、ここに開示する技術は、貨幣処理装置間の通信ネットワークを利用せずに操作者の負担（貨幣の管理のための負担）を軽減することを可能にすることを目的とする。
【課題を解決するための手段】
【０００６】
ここに開示する技術は、貨幣処理システムに関し、この貨幣処理システムは、貨幣を払い出すように構成された払出部と、該払出部から払い出された貨幣の内訳を示した明細情報が印字されたレシートを発行する発行部とを含む第１貨幣処理装置と、前記第１貨幣処理装置から払い出された貨幣が投入されるように構成された受取部と、該第１貨幣処理装置から発行されたレシートを撮像して該レシートの画像を取得するように構成された撮像部と、該撮像部によって取得されたレシートの画像から前記明細情報を取得するように構成された認識部とを含む第２貨幣処理装置とを備えている。
【０００７】
前記の構成では、第１貨幣処理装置から払い出された貨幣の内訳を示した明細情報を第２貨幣処理装置に入力することができる。これにより、貨幣処理装置間の通信ネットワークを利用せずに操作者の負担（貨幣の管理のための負担）を軽減することができる。
【０００８】
前記第２貨幣処理装置は、有価媒体を処理するように構成された有価媒体処理ユニットを含んでいてもよい。そして、前記撮像部は、前記有価媒体処理ユニットに設けられ、該有価媒体処理ユニットに投入された有価媒体およびレシートを撮像して該有価媒体の画像および該レシートの画像を取得するように構成されていてもよい。
【０００９】
前記の構成では、有価媒体処理ユニットに設けられた撮像部（有価媒体を撮像するための撮像部）を利用してレシートの画像を取得することができるので、第２貨幣処理装置にレシートの画像を取得するための撮像部を別途設ける場合よりも、第２貨幣処理装置のコストを低減することができる。
【００１０】
前記第２貨幣処理装置は、前記認識部によって取得された明細情報に示された貨幣の内訳を示した内訳情報を出力するように構成された制御部を含んでいてもよい。
【００１１】
前記の構成では、明細情報に示された貨幣の内訳（すなわち第１貨幣処理装置から払い出された貨幣の内訳）を参照しながら第２貨幣処理装置に貨幣を投入することができる。これにより、第２貨幣処理装置に投入される貨幣の内訳と第１貨幣処理装置から払い出された貨幣の内訳とが一致するかどうかを確認することができるので、操作者の負担を軽減することができる。
【００１２】
前記制御部は、前記受取部に投入された貨幣の内訳と前記認識部によって取得された明細情報に示された貨幣の内訳とが一致していない場合に、該貨幣の内訳の不一致を通知するためのエラー情報を出力するように構成されていてもよい。
【００１３】
前記の構成では、第２貨幣処理装置に投入された貨幣の内訳と第１貨幣処理装置から払い出された貨幣の内訳とが一致していないことを確認することができる。これにより、操作者による貨幣の確認作業を支援することができるので、操作者の負担を軽減することができる。
【００１４】
前記第２貨幣処理装置は、前記レシートを収納するように構成されたレシート収納部を含んでいてもよい。
【００１５】
前記の構成では、処理済みのレシートを保管することができる。これにより、第２貨幣処理装置の処理の履歴を保存することができる。
【００１６】
ここに開示する技術は、貨幣と該貨幣の内訳を示した明細情報が印字されたレシートとを処理する貨幣処理装置に関し、この貨幣処理装置は、前記貨幣が投入されるように構成された受取部と、前記レシートを撮像して該レシートの画像を取得するように構成された撮像部と、前記撮像部によって取得されたレシートの画像から前記明細情報を取得するように構成された認識部とを備えている。
【００１７】
前記の構成では、準備された貨幣の内訳を示した明細情報を貨幣処理装置に入力することができる。これにより、貨幣処理装置間の通信ネットワークを利用せずに操作者の負担を軽減することができる。
【００１８】
前記貨幣処理装置は、有価媒体を処理するように構成された有価媒体処理ユニットを備えていてもよい。前記撮像部は、前記有価媒体処理ユニットに設けられ、該有価媒体処理ユニットに投入された有価媒体およびレシートを撮像して該有価媒体の画像および該レシートの画像を取得するように構成されていてもよい。
【００１９】
前記の構成では、有価媒体処理ユニットに設けられた撮像部（有価媒体を撮像するための撮像部）を利用してレシートの画像を取得することができるので、貨幣処理装置にレシートの画像を取得するための撮像部を別途設ける場合よりも、貨幣処理装置のコストを低減することができる。
【００２０】
前記貨幣処理装置は、前記認識部によって取得された明細情報に示された貨幣の内訳を示した内訳情報を出力するように構成された制御部を備えていてもよい。
【００２１】
前記の構成では、明細情報に示された貨幣の内訳（すなわち準備された貨幣の内訳）を参照しながら貨幣処理装置に貨幣を投入することができる。これにより、貨幣処理装置に投入される貨幣の内訳と準備された貨幣の内訳とが一致するかどうかを確認することができるので、操作者の負担を軽減することができる。
【００２２】
前記制御部は、前記受取部に投入された貨幣の内訳と前記認識部によって取得された明細情報に示された貨幣の内訳とが一致していない場合に、該貨幣の内訳の不一致を通知するためのエラー情報を出力するように構成されていてもよい。
【００２３】
前記の構成では、貨幣処理装置に投入された貨幣の内訳と準備された貨幣の内訳とが一致していないことを確認することができる。これにより、操作者による貨幣の確認作業を支援することができるので、操作者の負担を軽減することができる。
【００２４】
前記貨幣処理装置は、前記レシートを収納するように構成されたレシート収納部を備えていてもよい。
【００２５】
前記の構成では、処理済みのレシートを保管することができる。これにより、貨幣処理装置の処理の履歴を保存することができる。
【発明の効果】
【００２６】
以上のように、貨幣処理装置間の通信ネットワークを利用せずに操作者の負担（貨幣の管理のための負担）を軽減することができる。
【図面の簡単な説明】
【００２７】
【図１】実施形態による貨幣処理システムの構成を例示する概念図である。
【図２】第１貨幣処理装置の構成を例示するブロック図である。
【図３】第２貨幣処理装置の構成を例示するブロック図である。
【図４】有価媒体処理ユニットの構成を例示する概略縦断面図である。
【図５】有価媒体処理ユニットの構成を例示するブロック図である。
【図６】回収処理における第２貨幣処理装置の動作について説明するためのフローチャートである。
【図７】回収処理における第２貨幣処理装置の動作について説明するためのフローチャートである。
【図８】レシート挿入の指示が表示されたガイド画面の一例を示す図である。
【図９】レシートから読み取られた明細情報に示された貨幣の内訳が表示されたガイド画面の一例を示す図である。
【図１０】投入された貨幣の内訳と明細情報に示された貨幣の内訳とが一致する場合に表示されるガイド画面の一例を示す図である。
【図１１】投入された貨幣の内訳と明細情報に示された貨幣の内訳とが一致しない場合に表示されるエラー画面の一例を示す図である。
【発明を実施するための形態】
【００２８】
以下、実施の形態を図面を参照して詳しく説明する。なお、図中同一または相当部分には同一の符号を付しその説明は繰り返さない。
【００２９】
（貨幣処理システム）
図１は、実施形態による貨幣処理システムの構成を例示している。この貨幣処理システム１０は、第１貨幣処理装置１００と第２貨幣処理装置２００とを備えている。例えば、貨幣処理システム１０は、銀行などの金融機関に設置されている。
【００３０】
〔第１貨幣処理装置〕
図１および図２に示すように、第１貨幣処理装置１００は、硬貨入出金部１０１（払出部）と、包装硬貨入出金部１０２（払出部）と、紙幣入出金部１０３（払出部）と、硬貨収納部１０４と、包装硬貨収納部１０５と、紙幣収納部１０６と、貨幣搬送部１０７と、識別部１０８と、表示操作部１０９と、カード読取部１１０と、レシート発行部１１１（発行部）と、主制御部１１２とを備えている。この例では、第１貨幣処理装置１００は、両替機を構成している。例えば、この例では、両替される貨幣が第１貨幣処理装置１００に入金され、操作者によって指定された金種の貨幣が第１貨幣処理装置１００から出金される。
【００３１】
硬貨入出金部１０１は、硬貨が投入されたり硬貨を払い出したりするように構成されている。具体的には、硬貨入出金部１０１は、前方に開口する入出金口を有し、その入出金口を介して硬貨の投入および払出が行われるように構成されている。また、この例では、硬貨入出金部１０１の入出金口には、シャッタが設けられている。
【００３２】
包装硬貨入出金部１０２は、包装硬貨が投入されたり包装硬貨を払い出したりするように構成されている。なお、包装硬貨は、所定枚数（例えば５０枚）の硬貨が包装されることで構成されている。具体的には、包装硬貨入出金部１０２は、上方に開口する入出金口を有し、その入出金口を介して包装硬貨の投入および払出が行われるように構成されている。また、この例では、包装硬貨入出金部１０２の入出金口には、シャッタが設けられている。
【００３３】
紙幣入出金部１０３は、紙幣が投入されたり紙幣を払い出したりするように構成されている。具体的には、紙幣入出金部１０３は、上方に開口する入出金口を有し、その入出金口を介して紙幣の投入および払出が行われるように構成されている。また、この例では、紙幣入出金部１０３の入出金口には、シャッタが設けられている。
【００３４】
硬貨収納部１０４は、硬貨を金種別に収納するように構成されている。包装硬貨収納部１０５は、包装硬貨を金種別に収納するように構成されている。紙幣収納部１０６は、紙幣を金種別に収納するように構成されている。
【００３５】
貨幣搬送部１０７は、貨幣（この例では硬貨と包装硬貨と紙幣）を搬送するように構成されている。識別部１０８は、貨幣に対して識別処理と計数処理とを行うように構成されている。識別処理では、識別部１０８は、貨幣の金種や真偽や正損などを識別する。計数処理では、識別部１０８は、貨幣の数量を種別毎に計数する。
【００３６】
表示操作部１０９は、各種の情報を表示するように構成されている。また、表示操作部１０９は、操作者に操作されて情報を入力するように構成されている。例えば、表示操作部１０９は、タッチパネルによって構成されている。カード読取部１１０は、カード（例えば操作者が所持するＩＤカード）から情報を読み取るように構成されている。
【００３７】
レシート発行部１１１は、取引時や貨幣回収時などにレシートを発行するように構成されている。図１に示すように、貨幣回収時に発行されるレシートには、払出部（この例では硬貨入出金部１０１と包装硬貨入出金部１０２と紙幣入出金部１０３）から払い出された貨幣の内訳を示した情報（明細情報）が印字されている。具体的には、明細情報には、貨幣の金種と数量（枚数）と合計金額とが貨幣の種別毎に示されている。図１の例では、明細情報には、５００円玉が「１００枚」ありその合計金額が「５００００円」であることが示され、１００円玉が「１００枚」ありその合計金額が「１００００円」であることが示されている。また、図１の例では、レシートには、明細情報の他に、第１貨幣処理装置１００において行われた処理の種別（図１では「紙幣・硬貨入金抜き取り」）とその管理番号（図１では「００３３」）とを示した処理種別情報や、第１貨幣処理装置１００において処理が行われた日時（図１では「２０１２年６月２９日」）を示した処理日時情報や、処理が行われた第１貨幣処理装置１００の識別番号（図１では「両替機連携No.(回収)１」）を示した装置識別情報などが印字されている。
【００３８】
主制御部１１２は、第１貨幣処理装置１００の各部（具体的には、硬貨入出金部１０１と包装硬貨入出金部１０２と紙幣入出金部１０３と硬貨収納部１０４と包装硬貨収納部１０５と紙幣収納部１０６と貨幣搬送部１０７と識別部１０８と表示操作部１０９とカード読取部１１０とレシート発行部１１１）と信号を伝達可能に接続されている。また、第１貨幣処理装置１００の各部には、貨幣の通過を検出する通過センサなどの各種センサが設けられており、これらの各種センサの検出信号は、主制御部１１２に送信される。そして、主制御部１１２は、第１貨幣処理装置１００の各部から受信した信号や情報に基づいて第１貨幣処理装置１００の各部を制御するように構成されている。例えば、主制御部１１２は、ＣＰＵなどの演算処理部や、演算処理部を動作させるためのプログラムや情報を記憶するメモリなどの記憶部によって構成されている。
【００３９】
〔第２貨幣処理装置〕
図１および図３に示すように、第２貨幣処理装置２００は、硬貨処理ユニット２０１（受取部）と、包装硬貨処理ユニット２０２（受取部）と、紙幣処理ユニット２０３（受取部）と、束紙幣処理ユニット２０４（受取部）と、有価媒体処理ユニット３００と、表示操作部４０１と、カード読取機４０２と、プリンタ４０３と、通信部４０４と、記憶部４０５と、主制御器５００とを備えている。この例では、第２貨幣処理装置２００は、出納機を構成している。
【００４０】
硬貨処理ユニット２０１は、硬貨を処理するように構成されている。具体的には、硬貨処理ユニット２０１は、硬貨が投入され、投入された硬貨に対して識別処理（硬貨の金種や真偽や正損などを識別する処理）と計数処理（硬貨の数量を金種別に計数する処理）とを行い、投入された硬貨を金種別に収納するように構成されている。この例では、硬貨処理ユニット２０１は、後述する回収処理において投入された硬貨を一時的に保留（収納）した後に金種別に収納するように構成されている。また、硬貨処理ユニット２０１は、硬貨を払い出すように構成されている。例えば、硬貨処理ユニット２０１は、硬貨が投入される投入部と、硬貨を払い出す投出部と、硬貨を一時的に保留する一時保留部と、硬貨を金種別に収納する収納部と、硬貨を搬送する搬送部と、硬貨に対して識別処理と計数処理とを行う識別部と、これらを制御する制御部とを備えている。
【００４１】
包装硬貨処理ユニット２０２は、包装硬貨を処理するように構成されている。具体的には、包装硬貨処理ユニット２０２は、包装硬貨が投入され、投入された包装硬貨に対して識別処理（包装硬貨の金種や真偽や正損などを識別する処理）と計数処理（包装硬貨の数量を金種別に計数する処理）とを行い、投入された包装硬貨を金種別に収納するように構成されている。また、包装硬貨処理ユニット２０２は、包装硬貨を払い出すように構成されている。例えば、包装硬貨処理ユニット２０２は、包装硬貨が投入される投入部と、包装硬貨を払い出す投出部と、包装硬貨を金種別に収納する収納部と、包装硬貨を搬送する搬送部と、包装硬貨に対して識別処理と計数処理とを行う識別部と、これらを制御する制御部とを備えている。
【００４２】
紙幣処理ユニット２０３は、紙幣を処理するように構成されている。具体的には、紙幣処理ユニット２０３は、紙幣が投入され、投入された紙幣に対して識別処理（紙幣の金種や真偽や正損などを識別する処理）と計数処理（紙幣の数量を金種別に計数する処理）とを行い、投入された紙幣を金種別に収納するように構成されている。この例では、紙幣処理ユニット２０３は、後述する回収処理において投入された紙幣を一時的に保留（収納）した後に金種別に収納するように構成されている。また、紙幣処理ユニット２０３は、紙幣を払い出すように構成されている。例えば、紙幣処理ユニット２０３は、紙幣が投入される投入部と、紙幣を払い出す投出部と、紙幣を一時的に保留する一時保留部と、紙幣を金種別に収納する収納部と、紙幣を搬送する搬送部と、紙幣に対して識別処理と計数処理とを行う識別部と、これらを制御する制御部とを備えている。
【００４３】
束紙幣処理ユニット２０４は、束紙幣を処理するように構成されている。具体的には、束紙幣処理ユニット２０４は、束紙幣が投入され、投入された束紙幣に対して識別処理（束紙幣の金種や真偽や正損などを識別する処理）と計数処理（束紙幣の数量を金種別に計数する処理）とを行い、投入された束紙幣を金種別に収納するように構成されている。また、束紙幣処理ユニット２０４は、束紙幣を払い出すように構成されている。例えば、束紙幣処理ユニット２０４は、束紙幣が投入される投入部と、束紙幣を払い出す投出部と、束紙幣を金種別に収納する収納部と、束紙幣を搬送する搬送部と、束紙幣に対して識別処理と計数処理とを行う識別部と、これらを制御する制御部とを備えている。なお、束紙幣は、所定枚数（例えば１００枚）の紙幣が帯で束ねられることで構成されている。
【００４４】
有価媒体処理ユニット３００は、有価媒体を処理するように構成されている。具体的には、有価媒体処理ユニット３００は、有価媒体が投入され、投入された有価媒体を収納するように構成されている。なお、有価媒体処理ユニット３００に投入される有価媒体は、損券，旧券，小切手，手形など、紙幣処理ユニット２０３において処理することができない紙葉類のことである。また、有価媒体処理ユニット３００は、投入された有価媒体を撮像して有価媒体の画像を取得し、その有価媒体の画像とその有価媒体に関する情報（例えば、有価媒体の券種や価値など）とを対応付けて記憶するように構成されている。なお、有価媒体に関する情報は、操作者が後述する表示操作部４０１を操作することによって表示操作部４０１を経由して有価媒体処理ユニット３００に入力することが可能である。また、有価媒体処理ユニット３００は、投入された有価媒体を撮像して得られる有価媒体の画像に基づいて、予め記憶（登録）されている複数の有価媒体情報（有価媒体に関する情報）の中からその有価媒体の画像に対応する有価媒体情報を選択し、その有価媒体の画像とその選択された有価媒体情報とを対応付けて記憶するように構成されていてもよい。
【００４５】
表示操作部４０１は、各種の情報や有価媒体処理ユニット３００によって取得された有価媒体の画像を表示するように構成されている。また、表示操作部４０１は、操作者に操作されて情報を入力するように構成されている。例えば、表示操作部４０１は、タッチパネルによって構成されている。カード読取機４０２は、カード（例えば操作者が所持するＩＤカード）から情報を読み取るように構成されている。プリンタ４０３は、入金レシートを発行するように構成されている。入金レシートには、第２貨幣処理装置２００における処理の結果（例えば第２貨幣処理装置２００に収納された貨幣の合計金額など）が印字されている。通信部４０４は、第２貨幣処理装置２００（具体的には主制御器５００）が通信線を通じて外部機器（図示を省略、例えば上位機など）との間で通信を行うために設けられている。記憶部４０５は、各種の情報を記憶するように構成されている。
【００４６】
主制御器５００は、第２貨幣処理装置２００の各部（具体的には、硬貨処理ユニット２０１と包装硬貨処理ユニット２０２と紙幣処理ユニット２０３と束紙幣処理ユニット２０４と有価媒体処理ユニット３００と表示操作部４０１とカード読取機４０２とプリンタ４０３と通信部４０４と記憶部４０５）と信号を伝達可能に接続されている。また、第２貨幣処理装置２００の各部には、貨幣の通過を検出する通過センサなどの各種センサが設けられており、これらの各種センサの検出信号は、主制御器５００に送信される。そして、主制御器５００は、外部機器や第２貨幣処理装置２００の各部から受信した信号や情報に基づいて第２貨幣処理装置２００の各部を制御するように構成されている。例えば、主制御器５００は、ＣＰＵなどの演算処理部や、演算処理部を動作させるためのプログラムや情報を記憶するメモリなどの記憶部によって構成されている。
【００４７】
また、この例では、主制御器５００は、制御部５０１を有している。制御部５０１は、後述する認識部３１０によって取得された明細情報に示された貨幣の内訳を示した情報（内訳情報）を出力するように構成されている。また、制御部５０１は、第２貨幣処理装置２００の受取部（この例では硬貨処理ユニット２０１と包装硬貨処理ユニット２０２と紙幣処理ユニット２０３と束紙幣処理ユニット２０４）に投入された貨幣と後述する認識部３１０によって取得された明細情報に示された貨幣の内訳とが一致していない場合に、貨幣の内訳の不一致を通知するための情報（エラー情報）を出力するように構成されている。なお、制御部５０１については、後で詳しく説明する。
【００４８】
〈有価媒体処理ユニット〉
図４および図５に示すように、有価媒体処理ユニット３００は、投入部３０１と、投出部３０２と、複数（この例では９つ）の有価媒体収納部３０３と、１つまたは複数（この例では１つ）のレシート収納部３０４と、搬送部３０５と、撮像部３０６と、有価媒体制御部３０７とを備えている。この例では、有価媒体処理ユニット３００は、有価媒体だけでなくレシートも処理するように構成されている。
【００４９】
投入部３０１は、有価媒体およびレシートが投入されるように構成されている。また、この例では、投入部３０１には、投入部３０１に投入された有価媒体およびレシートを１枚ずつ搬送部３０５に繰り出すように構成された繰出機構が設けられている。投出部３０２は、有価媒体およびレシートを投出するように構成されている。有価媒体収納部３０３は、有価媒体を収納するように構成されている。レシート収納部３０４は、レシートを収納するように構成されている。搬送部３０５は、有価媒体およびレシートを搬送するように構成されている。
【００５０】
撮像部３０６は、有価媒体およびレシートを撮像して有価媒体の画像およびレシートの画像を取得するように構成されている。
【００５１】
有価媒体制御部３０７は、有価媒体処理ユニット３００の各部（具体的には、投入部３０１と投出部３０２と有価媒体収納部３０３とレシート収納部３０４と搬送部３０５と撮像部３０６）と信号を伝達可能に接続されている。また、有価媒体処理ユニット３００の各部には、有価媒体やレシートの通過を検出する通過センサなどの各種センサが設けられており、これらの各種センサの検出信号は、有価媒体制御部３０７に送信される。そして、有価媒体制御部３０７は、主制御器５００や有価媒体処理ユニット３００の各部から受信した信号や情報に基づいて有価媒体処理ユニット３００の各部を制御するように構成されている。例えば、有価媒体制御部３０７は、ＣＰＵなどの演算処理部や、演算処理部を動作させるためのプログラムや情報を記憶するメモリなどの記憶部によって構成されている。
【００５２】
また、この例では、有価媒体制御部３０７は、認識部３１０を有している。認識部３１０は、撮像部３０６によって取得されたレシートの画像から明細情報を取得するように構成されている。具体的には、認識部３１０には、取引時や貨幣回収時などに発行されるレシートに関するレシートレイアウト情報（レシートのどの箇所にどの情報が印字されているのかを示す情報）が記憶（登録）されている。そして、認識部３１０は、レシートレイアウト情報に基づいてレシートの画像に光学文字認識処理（ＯＣＲ処理）を施すことによって明細情報を取得するように構成されている。
【００５３】
〔貨幣処理システムにおける回収処理〕
次に、貨幣処理システム１０における回収処理について説明する。回収処理は、第１貨幣処理装置１００（この例では両替機）に収納された貨幣を回収して第２貨幣処理装置２００（この例では出納機）に収納する処理のことである。以下では、第１貨幣処理装置１００の硬貨収納部１０４に収納された硬貨を回収する場合を例に挙げて説明する。
【００５４】
まず、第１貨幣処理装置１００において、各種処理の中から実行すべき処理を選択させるためのメニュー画面（図示を省略）が表示操作部１０９に表示される。操作者は、表示操作部１０９に表示された各種処理の中から回収処理を選択し、自身が所有するＩＤカードの情報（ＩＤ情報）をカード読取部１１０に読み取らせる。主制御部１１２は、カード読取部１１０によって読み取られたＩＤ情報と予め記憶しているＩＤ情報（回収処理を実行することができる権限を有する操作者に割り当てられたＩＤ情報）とを照合して、操作者が回収処理を行うことができる権限を有しているか否かを判定する。そして、操作者が回収処理を行うことができる権限を有している場合、主制御部１１２は、硬貨収納部１０４に収納された硬貨が硬貨入出金部１０１に搬送されるように貨幣搬送部１０７を制御する。硬貨入出金部１０１は、硬貨収納部１０４から搬送された硬貨を払い出す。また、主制御部１１２は、識別部１０８による計数処理の結果に基づいて硬貨入出金部１０１から払い出された硬貨の内訳（金種別枚数や合計金額など）を示した明細情報を取得する。そして、主制御部１１２は、明細情報が印字されたレシートが発行されるようにレシート発行部１１１を制御する。
【００５５】
次に、第２貨幣処理装置２００において、各種処理の中から実行すべき処理を選択させるためのメニュー画面（図示を省略）が表示操作部４０１に表示される。操作者は、表示操作部４０１に表示された各種処理の中から回収処理を選択し、自身が所有するＩＤカードの情報（ＩＤ情報）をカード読取機４０２に読み取らせる。主制御器５００は、カード読取機４０２によって読み取られたＩＤ情報と予め記憶しているＩＤ情報（回収処理を実行することができる権限を有する操作者に割り当てられたＩＤ情報）とを照合して、操作者が回収処理を行うことができる権限を有しているか否かを判定する。そして、操作者が回収処理を行うことができる権限を有している場合、第２貨幣処理装置２００において以下の動作が行われる。
【００５６】
次に、図６および図７を参照して、回収処理における第２貨幣処理装置２００の動作について説明する。以下では、第１貨幣処理装置１００から払い出された硬貨が硬貨処理ユニット２０１（第２貨幣処理装置２００の受取部）に投入される場合を例に挙げて説明する。
【００５７】
〈ステップＳ１１〉
まず、主制御器５００に含まれる制御部５０１は、表示操作部４０１にガイド画面を表示させる。図８に示すように、ガイド画面には、第２貨幣処理装置２００（具体的には有価媒体処理ユニット３００の投入部３０１）へのレシートの挿入の指示が表示された表示領域（図８において破線で囲われた領域）が含まれている。
【００５８】
〈ステップＳ１２〉
次に、制御部５０１は、認識部３１０によってレシートの画像（撮像部３０６によって取得されたレシートの画像）から明細情報（第１貨幣処理装置１００から払い出された貨幣の内訳を示した明細情報）の一部または全部が取得されたか否かを判定する。明細情報の一部または全部が取得されていない場合には、ステップＳ１３へ進み、そうでない場合（すなわち明細情報の全部が取得されている場合）には、ステップＳ１４へ進む。
【００５９】
〈ステップＳ１３〉
認識部３１０によって明細情報の一部または全部が取得されていない場合、制御部５０１は、操作者の手入力によって貨幣の内訳（すなわち第１貨幣処理装置１００から払い出された貨幣の内訳）が第２貨幣処理装置２００に入力されたか否かを判定する。具体的には、制御部５０１は、表示操作部４０１に表示されたガイド画面に表示された「手入力」というアイコンが押下されて内訳表示欄（図９において破線で囲われた領域）に表示される貨幣の内訳の入力が完了したか否かを判定する。操作者の手入力によって貨幣の内訳が第２貨幣処理装置２００に入力されている場合には、ステップＳ１４へ進み、そうでない場合には、ステップＳ１２へ進む。
【００６０】
なお、制御部５０１は、撮像部３０６によってレシートの画像が取得されているが認識部３１０によって明細情報の一部または全部が取得されていない場合に、表示操作部４０１に表示されたガイド画面の所定領域（例えば図９では内訳表示欄の隣）にレシートの画像が表示された状態で操作者に貨幣の内訳を手入力させるための画像（図９では内訳表示欄）が表示されるように表示操作部４０１を制御するように構成されていてもよい。このような構成により、操作者は、ガイド画面に表示されたレシートの画像を見てレシートに印字された明細情報を確認しながら、認識部３１０によって取得されていない明細情報を手入力することができる。
【００６１】
〈ステップＳ１４〉
次に、制御部５０１は、認識部３１０によって取得された明細情報に示された貨幣の内訳（すなわち第１貨幣処理装置１００から払い出された貨幣の内訳）を示した内訳情報を出力する。または、制御部５０１は、操作者の手入力（表示操作部４０１の操作）によって入力された貨幣の内訳を示した内訳情報を出力する。具体的には、図９に示すように、制御部５０１は、表示操作部４０１に表示されたガイド画面の内訳表示欄（図９において破線で囲われた領域）に内訳情報が表示されるように表示操作部４０１を制御する。
【００６２】
〈ステップＳ１５，Ｓ１６，Ｓ１７〉
次に、ガイド画面に表示された「計数開始」というアイコンが押下されて硬貨処理ユニット２０１（第２貨幣処理装置２００の受取部）への硬貨の投入が開始されると、硬貨処理ユニット２０１は、投入された硬貨の数量を金種別に計数するとともに、投入された硬貨を一時的に保留（収納）する。硬貨処理ユニット２０１における計数処理（硬貨の数量を金種別に計数する処理）の結果は、主制御器５００に送信される。そして、制御部５０１は、硬貨処理ユニット２０１における計数処理の結果に基づいて硬貨処理ユニット２０１に投入された貨幣の内訳を管理する。このような処理は、硬貨処理ユニット２０１への硬貨の投入が終了してガイド画面に表示された「計数停止」というアイコンが押下されるまで継続される。次に、ステップＳ２１（図７）へ進む。
【００６３】
〈ステップＳ２１〉
次に、制御部５０１は、第２貨幣処理装置２００の受取部（この例では硬貨処理ユニット２０１）に投入された貨幣の内訳と認識部３１０によって取得された明細情報に示された貨幣の内訳（または操作者の手入力によって入力された貨幣の内訳）とが一致するか否かを判定する。貨幣の内訳が一致する場合には、ステップＳ２２へ進み、そうでない場合には、ステップＳ２６へ進む。
【００６４】
なお、第２貨幣処理装置２００の受取部に投入された貨幣の内訳と認識部３１０によって取得された明細情報に示された貨幣の内訳（または操作者の手入力によって入力された貨幣の内訳）とが一致する場合は、図１０に示すように、ガイド画面の差額表示欄（図１０において破線で囲われた領域）に表示される差額が「０円」となる。
【００６５】
〈ステップＳ２２〉
次に、制御部５０１は、操作者の承認が得られたか否かを判定する。具体的には、制御部５０１は、表示操作部４０１に表示されたガイド画面の「完了」というアイコンが押下されたか否かを判定する。操作者の承認が得られている場合には、ステップＳ２３へ進み、そうでない場合には、ステップＳ２４へ進む。
【００６６】
〈ステップＳ２３〉
次に、制御部５０１は、第２貨幣処理装置２００の受取部（この例では硬貨処理ユニット２０１）に一時的に保留（収納）されている貨幣が第２貨幣処理装置２００の受取部において金種別に収納されるように第２貨幣処理装置２００の受取部を制御する。そして、制御部５０１は、第２貨幣処理装置２００における処理の結果（例えば第２貨幣処理装置２００に収納された貨幣の合計金額など）が印字された入金レシートが発行されるようにプリンタ４０３を制御する。
【００６７】
〈ステップＳ２４〉
一方、ステップＳ２２において操作者の承認が得られていないと判定された場合、制御部５０１は、第２貨幣処理装置２００の処理を中止するか否かを判定する。具体的には、制御部５０１は、ガイド画面に表示された「返却」というアイコンが押下されたか否かを判定する。第２貨幣処理装置２００の処理を中止する場合には、ステップＳ２５へ進み、そうでない場合には、ステップＳ２２へ進む。
【００６８】
〈ステップＳ２５〉
第２貨幣処理装置２００の処理を中止する場合、制御部５０１は、第２貨幣処理装置２００の受取部（この例では硬貨処理ユニット２０１）に投入された貨幣（この例では第２貨幣処理装置２００の受取部に一時的に保留（収納）されている貨幣）が返却されるように、第２貨幣処理装置２００の受取部を制御する。また、制御部５０１は、有価媒体処理ユニット３００に投入されたレシートが返却されるように、有価媒体処理ユニット３００を制御する。
【００６９】
〈ステップＳ２６〉
また、ステップＳ２１において第２貨幣処理装置２００の受取部（この例では硬貨処理ユニット２０１）に投入された貨幣の内訳と認識部３１０によって取得された明細情報に示された貨幣の内訳（または操作者の手入力によって入力された貨幣の内訳）とが一致していない場合、制御部５０１は、貨幣の内訳の不一致を通知するためのエラー情報を出力する。具体的には、制御部５０１は、表示操作部４０１に図１１に示すようなエラー画面が表示されるように表示操作部４０１を制御する。なお、制御部５０１は、エラー画面とともに（またはエラー画面の代わりに）、第２貨幣処理装置２００の受取部に投入された貨幣の内訳と認識部３１０によって取得された明細情報に示された貨幣の内訳（または操作者の手入力によって入力された貨幣の内訳）との差分を示した画像（例えば「１００円硬貨が５枚不足しています」というメッセージ画像など）が表示されるように表示操作部４０１を制御してもよい。
【００７０】
〈ステップＳ２７〉
次に、制御部５０１は、第２貨幣処理装置２００に投入された貨幣の内訳と認識部３１０によって取得された明細情報に示された貨幣の内訳（または、操作者の手入力によって入力された貨幣の内訳）との不一致を解消するための修正処理が行われたか否かを判定する。例えば、制御部５０１は、第２貨幣処理装置２００への貨幣の再投入（不足分の貨幣の投入）や、第２貨幣処理装置２００からの貨幣の返却（過剰分の貨幣の返却）や、操作者の手作業（表示操作部４０１の操作）による内訳情報の修正が行われたか否かを判定する。修正処理が行われる場合には、ステップＳ２１へ進み、そうでない場合には、ステップＳ２８へ進む。
【００７１】
〈ステップＳ２８〉
修正処理が行われていない場合、制御部５０１は、第２貨幣処理装置２００の処理を中止するか否かを判定する。具体的には、制御部５０１は、ガイド画面に表示された「返却」というアイコンが押下されたか否かを判定する。第２貨幣処理装置２００の処理を中止する場合には、ステップＳ２５へ進み、そうでない場合には、ステップＳ２９へ進む。
【００７２】
〈ステップＳ２９〉
第２貨幣処理装置２００の処理を中止しない場合、制御部５０１は、第２貨幣処理装置２００の処理（貨幣の収納）を強制的に完了させるか否かを判定する。具体的には、制御部５０１は、表示操作部４０１に表示されたガイド画面の「完了」というアイコンが押下されたか否かを判定する。第２貨幣処理装置２００の処理（貨幣の収納）を強制的に完了させる場合には、ステップＳ２３へ進み、そうでない場合には、ステップＳ２７へ進む。
【００７３】
なお、制御部５０１は、第２貨幣処理装置２００の処理（貨幣の収納）を強制的に完了させる場合に、第２貨幣処理装置２００に投入された貨幣の内訳と認識部３１０によって取得された明細情報に示された貨幣の内訳（または、操作者の手入力によって入力された貨幣の内訳）との差分を示した差分情報を記憶するように構成されていてもよい。
【００７４】
〔実施形態による効果〕
以上のように、第２貨幣処理装置２００において、第１貨幣処理装置１００から発行されたレシート（明細情報が印字されたレシート）を撮像してレシートの画像を取得し、レシートの画像から明細情報を取得することにより、第１貨幣処理装置１００から払い出された貨幣の内訳（準備された貨幣の内訳）を示した明細情報を第２貨幣処理装置２００に入力することができる。これにより、貨幣処理装置間の通信ネットワークを利用せずに操作者の負担（貨幣の管理のための負担）を軽減することができる。
【００７５】
また、有価媒体処理ユニット３００に設けられた撮像部３０６（有価媒体を撮像するための撮像部）を利用してレシートの画像を取得することができるので、第２貨幣処理装置２００にレシートの画像を取得するために専用の撮像部を別途設ける場合よりも、第２貨幣処理装置２００のコストを低減することができる。
【００７６】
また、認識部３１０によって取得された明細情報に示された貨幣の内訳を示した情報（内訳情報）を出力することにより、明細情報に示された貨幣の内訳（すなわち第１貨幣処理装置１００から払い出された貨幣の内訳）を参照しながら第２貨幣処理装置２００に貨幣を投入することができる。これにより、第２貨幣処理装置２００に投入される貨幣の内訳と第１貨幣処理装置１００から払い出された貨幣の内訳とが一致するかどうかを確認することができるので、操作者の負担を軽減することができる。
【００７７】
また、第２貨幣処理装置２００に投入された貨幣の内訳と認識部３１０によって取得された明細情報に示された貨幣の内訳とが一致していない場合に、その貨幣の内訳の不一致を通知するための情報（エラー情報）を出力することにより、第２貨幣処理装置２００に投入された貨幣の内訳と第１貨幣処理装置１００から払い出された貨幣の内訳とが一致していないことを確認することができる。これにより、操作者による確認作業を支援することができるので、操作者の負担を軽減することができる。
【００７８】
また、第２貨幣処理装置２００にレシート収納部３０４を設けることにより、処理済みのレシートを保管することができる。これにより、第２貨幣処理装置２００の処理の履歴を保存することができる。
【００７９】
（その他の実施形態）
なお、以上の説明では、認識部３１０が有価媒体処理ユニット３００の有価媒体制御部３０７に含まれている場合を例に挙げたが、認識部３１０は、第２貨幣処理装置２００の主制御器５００に含まれていてもよい。すなわち、撮像部３０６によって取得されたレシートの画像から明細情報を取得する処理は、有価媒体制御部３０７において行われてもよいし、主制御器５００において行われてもよい。
【００８０】
また、認識部３１０には、それぞれ異なる種類のレシートに対応する複数のレシートレイアウト情報が予め記憶（登録）されていてもよい。そして、認識部３１０は、複数のレシートレイアウト情報の中からいずれか１つのレシートレイアウト情報を選択し、その選択したレシートレイアウト情報に基づいてレシートの画面に光学文字認識処理（ＯＣＲ処理）を施して明細情報を取得するように構成されていてもよい。
【００８１】
また、認識部３１０は、新たな種類のレシートに対応する新たなレシートレイアウト情報を追加することができるように構成されていてもよい。なお、レシートレイアウト情報の追加は、特定の権限を有する操作者にのみ許可された操作であってもよい。
【００８２】
また、以上の説明では、第１貨幣処理装置１００が両替機を構成している場合を例に挙げたが、これに限らず、第１貨幣処理装置１００は、ＡＴＭ，オートキャッシャー，ロビー入金機，貨幣保管装置（例えば現金バス）などを構成するものであってもよい。
【００８３】
また、以上の説明では、第１貨幣処理装置１００の払出部が入出金口から貨幣を払い出す入出金部（図１の例では硬貨入出金部１０１と包装硬貨入出金部１０２と紙幣入出金部１０３）によって構成されている場合を例に挙げたが、第１貨幣処理装置１００の払出部は、第１貨幣処理装置に着脱可能に構成されて払い出すべき貨幣を収納する回収カセット（図示を省略）によって構成されていてもよい。
【００８４】
また、以上の説明では、第２貨幣処理装置２００のレシート収納部３０４に処理済みのレシートが収納される場合を例に挙げたが、第２貨幣処理装置２００は、処理済みのレシートを収納せずに排出するように構成されていてもよい。さらに、第２貨幣処理装置２００は、排出される処理済みのレシートに処理が完了した旨を追加印字する印字部（図示を省略）を備えていてもよい。
【００８５】
また、第１貨幣処理装置１００から払い出された貨幣の内訳を示した情報（明細情報）は、バーコードやＱＲコード（登録商標）としてレシートに印字されていてもよい。そして、第２貨幣処理装置２００の認識部３１０は、レシートに印字されたバーコードやＱＲコード（登録商標）を読み取って明細情報を取得するように構成されていてもよい。
【００８６】
なお、レシートには、明細情報の他に、第１貨幣処理装置１００の操作者を特定するための情報（例えば操作者に割り当てられたＩＤ）が印字されていてもよい。このように構成することにより、例えば、異常発生時などに、誰の操作によって第１貨幣処理装置１００から貨幣が払い出されたのかを追跡することができる。
【００８７】
また、認識部３１０は、撮像部３０６によって取得されたレシートの画像から処理日時情報（第１貨幣処理装置１００において処理が行われた日時を示した情報）を取得するように構成されていてもよい。そして、制御部５０１は、第２貨幣処理装置２００の受取部（例えば硬貨処理ユニット２０１）に貨幣が投入された日時を取得し、認識部３１０によって取得された処理日時情報に示された日時と第２貨幣処理装置２００の受取部に貨幣が投入された日時との差（以下「日時差」と記載）が予め定められた許容時間を上回る場合に、その旨を通知するための情報（警告情報）を出力するように構成されていてもよい。例えば、制御部５０１は、日時差が許容時間を上回る場合に、その旨が表示されるように表示操作部４０１を制御してもよい。また、制御部５０１は、日時差が許容時間を上回る場合に、その旨を通信部４０４を経由して予め定められた外部機器（例えば管理者が所有するタブレット端末など）に通知するように構成されていてもよい。
【００８８】
また、以上の実施形態や変形例を適宜組み合わせて実施してもよい。以上の実施形態や変形例は、本質的に好ましい例示であって、ここに開示する技術、その適用物、あるいはその用途の範囲を制限することを意図するものではない。
【産業上の利用可能性】
【００８９】
以上説明したように、ここに開示する技術は、貨幣処理システムに好適である。
【符号の説明】
【００９０】
１０          貨幣処理システム
１００        第１貨幣処理装置
１０１        硬貨入出金部（払出部）
１０２        包装硬貨入出金部（払出部）
１０３        紙幣入出金部（払出部）
１０４        硬貨収納部
１０５        包装硬貨収納部
１０６        紙幣収納部
１０７        貨幣搬送部
１０８        識別部
１０９        表示操作部
１１０        カード読取部
１１１        レシート発行部（発行部）
１１２        主制御部
２００        第２貨幣処理装置
２０１        硬貨処理ユニット（受取部）
２０２        包装硬貨処理ユニット（受取部）
２０３        紙幣処理ユニット（受取部）
２０４        束紙幣処理ユニット（受取部）
３００        有価媒体処理ユニット
３０１        投入部
３０２        投出部
３０３        有価媒体収納部
３０４        レシート収納部
３０５        搬送部
３０６        撮像部
３０７        有価媒体制御部
３１０        認識部
４０１        表示操作部
４０２        カード読取機
４０３        プリンタ
４０４        通信部
４０５        記憶部
５００        主制御器
５０１        制御部
【図１】
2018073058.tif 000003
【図２】
2018073058.tif 000004
【図３】
2018073058.tif 000005
【図４】
2018073058.tif 000006
【図５】
2018073058.tif 000007
【図６】
2018073058.tif 000008
【図７】
2018073058.tif 000009
【図８】
2018073058.tif 000010
【図９】
2018073058.tif 000011
【図１０】
2018073058.tif 000012
【図１１】
2018073058.tif 000013